(57)【特許請求の範囲】
【請求項１】
吸い込み口と吹き出し口とを連通する送風回路と、前記送風回路内に複数のブレードを持つクロスフローファンを設け、前記クロスフローファンに所定の距離をもって対向するスタビライザを設けた横断流送風装置において、前記スタビライザは前記クロスフローファンの近傍で前記吸い込み口に向けて曲折し、且つ前記スタビライザ先端はシャープなエッジを持ち、前記スタビライザのエッジ近傍で前記クロスフローファン側の面には前記クロスフローファンに対向し前記クロスフローファンの長手方向に平行な第１のリブが設けられ、同じくエッジの近傍で前記クロスフローファンに反対する面には前記クロスフローファンの長手方向に平行な第２のリブが設けられ、前記エッジの一方の面と第２のリブが成す面の間に前記それぞれの面に略垂直に且つクロスフローファンの長手方向に対して所定の間隔で、なお且つ前記それぞれの面に一辺ずつ合計２辺で接する略三角形状の第３のリブを設けたことを特徴とする横断流送風装置。
【請求項２】
第２のリブの先端を曲折し、前記リブの先端が成す面とスタビライザ先端のエッジが成す面とにより、クロスフローファンの長手方向に延び断面が略Ｕ字状の溝部を成したことを特徴とする、請求項１記載の横断流送風装置。
【発明の詳細な説明】
【０００１】
【産業上の利用分野】
本発明は、空気調和機等に使用する送風装置に関するものである。
【０００２】
【従来の技術】
従来、この種の横断流送風装置は、例えば実開昭５９−４１６９６号公報に示されているように、図３および図４のような構成になっていた。すなわち、複数のブレード５と、この各ブレードを支持する支持板５ａからなるクロスフローファン羽根車１を中心として、その前後にスタビライザ２およびリアガイダ３を配設し、スタビライザ２とリアガイダ３とで、空気の吹出口４を形成し、横断流送風機を構成していた。図３の矢印で示すように、横断流送風機は、その構造上空気の流入方向と流出方向が逆方向であること、あるいは、送風機を軸方向に延ばすと、ほぼその長さの割合に比例して風量が増加するなど、他の送風機に見られない特徴を有するため近年広く用いられるようになった。
【０００３】
ところで、この種の空気調和装置においては、クロスフローファン１とスタビライザ２との隙間Ｓが風量および騒音特性に大きな比重を占めることは知られ、一般には風量のアップを重視すべく、スタビライザ２とクロスフローファン１との隙間Ｓを狭くする方法がとられる。これを用いた従来例としては、図５のような構成になっていた。
【０００４】
それは、スタビライザ２をクロスフローファン１に対向して近接し所定の寸法だけクロスフローファン１から離れ、かつ上部へ行くに従い円弧状に吸い込み側へ向かって突出し、さらに舌部先端をシャープな山形形状で段部を設けた内容で、クロスフローファン１の回転によって発生する渦６を安定させ騒音を低下させることを特徴とする横断流送風装置である。
【０００５】
【発明が解決しようとする課題】
しかしながら、図３や図４のような構成において、クロスフローファン１とスタビライザ２との隙間Ｓが風量に大きく関係しているのならば、少しの誤差でも大きくクロスフローファンの性能が変化してしまう可能性があり、隙間寸法を固定するのは困難であり、量産性には適していないようである。また、もう一つの従来例でもある図５のような構成では、スタビライザ２の成形条件による反り・ヒズミや取付バラツキ等による影響で、渦６の発生場所の安定化が図れない可能性がありそのため、騒音のバラツキおよび、風量性能のバラツキが大きくなり、商品としての安定化が図れないものである。
【０００６】
この発明は、上記事情に着目してなされたものでその目的とするところは、量産性に適した風量特性・低騒音化を向上させるスタビライザを特徴にもった横断流送風装置を提供するものである。
【０００７】
【課題を解決するための手段】
上記課題を解決するために本発明の横断流送風装置は、スタビライザをクロスフローファンに対向して近接し、所定の寸法だけクロスフローファンから離れ、かつ上部へ行くに従い円弧状に吸い込み口側へ向かって曲折させ、その先端はシャープな山形形状のエッジで、かつ、その山形形状に対してスタビライザの表裏両面に所定の長さのリブを設けたものである。
また、上記構成に加えてスタビライザ先端のエッジとリブの間に三角形状のリブを一定の間隔に複数個設けたものである。また、エッジ先端近傍に、クロスフローファンの長手方向に延び断面が略Ｕ字状の溝部を形成したものである。
【０００８】
【作用】
本発明は上記構成により、クロスフローファン羽根車の回転によって生じる風の流れｂ１とｂ２のぶつかりあいにより発生する渦６の発生位置・大きさを、より安定させるためにはｂ１＞ｂ２の関係を保つことが重要になる。そのためにスタビライザ２の山形形状と逆方向に第２のリブ７を設けることにより、ｂ２の量を低下させることが可能となり、渦６の発生位置をスタビライザ２の舌部先端側に近づけることができ、大きさも小さくすることが可能となる。また、リブ７によりスタビライザ先端の強度が上がり、反り・ヒズミ等も発生しにくくなる。さらに、リブ７とスタビライザ２間に三角形状の第３のリブ８を複数個設けることにより、三角形状リブ８間それぞれに負圧が生じる、その結果、渦６はこの三角形状リブ８間で発生することになり、さらに低騒音化を図ることができる。また、スタビライザの先端を断面略Ｕ字状９の溝部に形成することにより、前記溝部が完全な負圧部となりｂ２の風を、溝部９内に引き込むような状態になり、渦６を発生しにくくすることができる。このような形状を形成することにより、多少の組立バラツキや成形上のバラツキが発生しても渦６の発生位置・大きさの安定が保て、圧力特性を向上させ渦から生じる騒音を低下させようとするものである。
【０００９】
【実施例】
以下、本発明の一実施例を図面に基づいて説明する。
【００１０】
図１は、本発明の一実施例に係わる横断流送風装置１０における構成が線図によって概略図に示されている。同図において、１と３は従来と同様にクロスフローファン羽根車およびリアガイダを示している。クロスフローファン羽根車１の軸方と平行に新規なスタビライザ２が配置されている。そして、クロスフローファン１の回転によって、スタビライザ２の円弧状舌部近傍に渦６を形成され、この渦６の作用により送風作用が起こり、矢印ｂ１に示す上方から空気が吸い込まれ、矢印Ｃに示す下部一側方に吹き出される。以上のように、本実施例によれば、スタビライザ２をクロスフローファン羽根車１に対向して近接し所定の寸法だけクロスフローファン羽根車１から離れ、かつ上部へ行くに従い円弧上に吸い込み側へ向かって曲折させ、その先端はシャープな山形形状のエッジで、かつその山形形状に対してスタビライザの表裏両面に所定の長さのリブを設けたスタビライザとしたものである。また、上記構成に加えてスタビライザ先端のエッジとリブ間に三角形状のリブを一定の間隔に複数個設けたものである。また、エッジ先端近傍に、クロスフローファンの長手方向に延び断面が略Ｕ字状の溝部を形成したスタビライザとすることにより、本実施例の横断流送風装置それぞれとも同一騒音値における風量特性が優れていることがわかる。
【００１１】
【発明の効果】
以上のように本発明は、スタビライザ２の山形形状と逆方向にリブ７を設けることにより、ｂ２の量を低下させることが可能となり、渦６の発生位置をスタビライザ２の舌部先端側に近づけることができ、大きさも小さくすることが可能となる。また、リブ７によりスタビライザ先端の強度が上がり、反り・ヒズミ等も発生しにくくなる。さらに、リブ７とスタビライザ２間に三角形状のリブ８を複数個設けることにより、三角形状リブ８間それぞれに負圧が生じる、その結果、渦６はこの三角形状リブ８間で発生することになり、さらに低騒音化を図ることができる。また、舌部先端を断面略Ｕ字状に形成することにより、断面略Ｕ字部が完全な負圧部となりｂ２の風を、Ｕ字部内に引き込むような状態になり、渦６を発生しにくくすることができる。このような形状を形成することにより、多少の組立バラツキや成形上のバラツキが発生しても渦６の発生位置・大きさの安定が保て、圧力特性を向上させ渦から生じる騒音を低下させようとするものである。
【００１２】
従って低コストで送風装置を作ることができ、渦を安定させることにより、高風量、高能力な空調機を設計することができる。
【図面の簡単な説明】
【図１】本発明の一実施例に係る横断流送風装置を線図で概略的に示す構成説明図
【図２】回転数一風量特性図
【図３】従来の空気調和装置における送風系の構造を示す要部の斜視図
【図４】同断面図
【図５】従来の横断流送風装置を線図で概略的に示す構成説明図
【符号の説明】
１  クロスフローファン羽根車
２  スタビライザ
３  リアガイダ
４  吹き出し口
５  ブレード
６  渦
７  リブ
８  三角リブ
９  断面略Ｕ字部
【図１】
0003590977.tif 000002
【図２】
0003590977.tif 000003
【図３】
0003590977.tif 000004
【図４】
0003590977.tif 000005
【図５】
0003590977.tif 000006